(57)【要約】【課題】生体組織を効率的に処置することが可能な超音波処置装置用プローブを提供する。【解決手段】超音波処置装置用プローブ３０は、超音波振動を発生する超音波振動子に基端部が接続され超音波振動子で発生された超音波振動を基端部から先端部へと伝達し、先端部に形成され伝達された超音波振動によって生体組織に処置を行う処置部３２を具備し、処置部３２は２つ以上の突出部５４ａ，５４ｂを有する。【選択図】    図２
2008136845.tif 000002
【特許請求の範囲】
【請求項１】
超音波振動を発生する超音波振動子に基端部が接続され前記超音波振動子で発生された超音波振動を基端部から先端部へと伝達し、先端部に形成され伝達された超音波振動によって生体組織に処置を行う処置部を具備し、前記処置部は２つ以上の突出部を有する、
ことを特徴とする超音波処置装置用プローブ。
【請求項２】
前記処置部は２つの突出部を有する、
ことを特徴とする請求項１に記載の超音波処置装置用プローブ。
【請求項３】
前記処置部は３つの突出部を有する、
ことを特徴とする請求項１に記載の超音波処置装置用プローブ。
【請求項４】
前記処置部は４つの突出部を有する、
ことを特徴とする請求項１に記載の超音波処置装置用プローブ。
【請求項５】
前記２つ以上の突出部は、２つの突出部間にこれら突出部の突出方向と交差して生体組織を配置可能なように形成されている、
ことを特徴とする請求項１に記載の超音波処置装置用プローブ。
【請求項６】
前記突出部は、キャビテーションの発生を促進する促進部を有する、
ことを特徴とする請求項１に記載の超音波処置装置用プローブ。
【請求項７】
前記促進部は凹部を有する、
ことを特徴とする請求項６に記載の超音波処置装置用プローブ。
【請求項８】
前記促進部は孔部を有する、
ことを特徴とする請求項６に記載の超音波処置装置用プローブ。
【請求項９】
前記処置部において開口し、前記プローブの先端部から基端部へと延びている吸引路をさらに具備する、
ことを特徴とする請求項１に記載の超音波処置装置用プローブ。
【請求項１０】
超音波振動を発生する超音波振動子と、
請求項１乃至９のいずれか1項に記載の超音波処置装置用プローブと、
を具備することを特徴とする超音波処置装置。
【請求項１１】
前記プローブに外挿されているシースと、
前記シースの先端部に設けられ、前記処置部に対して開閉されて、前記処置部と協働して生体組織を把持するジョーと、
をさらに具備する、
ことを特徴とする請求項１０に記載の超音波処置装置。
【発明の詳細な説明】
【技術分野】
【０００１】
本発明は、超音波振動を利用して生体組織に処置を行う超音波処置装置で用いられるプローブに関する。
【背景技術】
【０００２】
従来、超音波振動を利用して生体組織に処置を行う様々な超音波処置装置が用いられている。
【０００３】
特許文献１には、生体組織を乳化、破砕し、乳化、破砕された生体組織を吸引して除去する超音波吸引装置が開示されている。この超音波吸引装置では、術者に把持されるハンドピース内に超音波振動を発生する超音波振動子が収容されている。この超音波振動子にはプローブの基端部が接続されており、このプローブは超音波振動子で発生された超音波振動を基端部から先端部へと伝達する。プローブの先端部には、伝達された超音波振動を利用して生体組織を乳化、破砕する処置部が形成されている。また、プローブにはプローブの中心軸に沿って吸引路が延設されており、この吸引路はプローブの先端部で開口している。この吸引路を介して、乳化、破砕された生体組織が吸引、除去される。このようなプローブの処置部の形状として、内腔が吸引路をなす円筒形状が採用されている。
【特許文献１】米国特許第６４５８１４３号明細書
【発明の開示】
【発明が解決しようとする課題】
【０００４】
特許文献１の超音波吸引装置でなされる乳化、破砕のような処置では、処置部におけるキャビテーションの発生によって、処置効率が向上される。しかしながら、特許文献１の超音波吸引装置で用いられているような円筒形状の処置部では、キャビテーションの発生を充分に促進することができず、生体組織を効率的に処置することが困難である。
【０００５】
本発明は、上記課題に着目してなされたもので、その目的とするところは、生体組織を効率的に処置することが可能な超音波処置装置用プローブを提供することである。
【課題を解決するための手段】
【０００６】
本発明の第１実施態様では、超音波処置装置用プローブは、超音波振動を発生する超音波振動子に基端部が接続され前記超音波振動子で発生された超音波振動を基端部から先端部へと伝達し、先端部に形成され伝達された超音波振動によって生体組織に処置を行う処置部を具備し、前記処置部は２つ以上の突出部を有する、ことを特徴とする。
【０００７】
本発明の第２実施態様では、超音波処置装置用プローブは、前記処置部は２つの突出部を有する、ことを特徴とする。
【０００８】
本発明の第３実施態様では、超音波処置装置用プローブは、前記処置部は３つの突出部を有する、ことを特徴とする。
【０００９】
本発明の第４実施態様では、超音波処置装置用プローブは、前記処置部は４つの突出部を有する、ことを特徴とする。
【００１０】
本発明の第５実施態様では、超音波処置装置用プローブは、前記２つ以上の突出部は、２つの突出部間にこれら突出部の突出方向と交差して生体組織を配置可能なように形成されている、ことを特徴とする。
【００１１】
本発明の第６実施態様では、超音波処置装置用プローブは、前記突出部は、キャビテーションの発生を促進する促進部を有する、ことを特徴とする。
【００１２】
本発明の第７実施態様では、超音波処置装置用プローブは、前記促進部は凹部を有する、ことを特徴とする。
【００１３】
本発明の第８実施態様では、超音波処置装置用プローブは、前記促進部は孔部を有する、ことを特徴とする。
【００１４】
本発明の第９実施態様では、超音波処置装置用プローブは、前記処置部において開口し、前記プローブの先端部から基端部へと延びている吸引路をさらに具備する、ことを特徴とする。
【００１５】
本発明の第１０実施態様では、超音波処置装置は、超音波振動を発生する超音波振動子と、上記超音波処置装置用プローブと、を具備することを特徴とする。
【００１６】
本発明の第１１実施態様では、超音波処置装置は、前記プローブに外挿されているシースと、前記シースの先端部に設けられ、前記処置部に対して開閉されて、前記処置部と協働して生体組織を把持するジョーと、をさらに具備する、ことを特徴とする。
【発明の効果】
【００１７】
本発明の第１実施態様の超音波処置装置用プローブでは、処置部を２つ以上の突出部によって形成することで、処置部において抗力係数の大きな形状をなす部分の表面積を増大させており、処置部においてキャビテーションの発生が促進されるようになっている。このため、処置部によって生体組織を効率的に処置することが可能となっている。
【００１８】
本発明の第２実施態様の超音波処置装置用プローブでは、処置部を２つの突出部によって形成することで、処置部において抗力係数の大きな形状をなす部分の表面積を増大させている。
【００１９】
本発明の第３実施態様の超音波処置装置用プローブでは、処置部を３つの突出部によって形成することで、処置部において抗力係数の大きな形状をなす部分の表面積を増大させている。
【００２０】
本発明の第４実施態様の超音波処置装置用プローブでは、処置部を４つの突出部によって形成することで、処置部において抗力係数の大きな形状をなす部分の表面積を増大させている。
【００２１】
本発明の第５実施態様の超音波処置装置用プローブでは、２つの突出部間にこれら突出部の突出方向と交差して生体組織を配置し、２つの突出部を生体組織を中心として回動させつつ生体組織に沿って移動させることで、生体組織の外面部を効率的に処置することが可能となっている。
【００２２】
本発明の第６実施態様の超音波処置装置用プローブでは、キャビテーション促進部によって、処置部におけるキャビテーションの発生をさらに促進することが可能となっている。
【００２３】
本発明の第７実施態様の超音波処置装置用プローブでは、処置部に凹部を形成して抗力係数を増大させることで、キャビテーションの発生を促進している。
【００２４】
本発明の第８実施態様の超音波処置装置用プローブでは、処置部に孔部を形成して抗力係数を増大させることで、キャビテーションの発生を促進している。
【００２５】
本発明の第９実施態様の超音波処置装置用プローブでは、吸引路を介して、処置された生体組織を吸引、回収することが可能となっている。
【００２６】
本発明の第１０実施態様の超音波処置装置では、処置部によって生体組織を効率的に処置することが可能となっている。
【００２７】
本発明の第１１実施態様の超音波処置装置では、処置部のみによる処置と、処置部とジョーとによる処置との両処置を行うことができ、これら両処置を複数の処置装置を用いて行う場合と比較して、低侵襲で円滑に手技を行うことが可能となっている。
【発明を実施するための最良の形態】
【００２８】
以下、本発明の各実施形態を図面を参照して説明する。
【００２９】
図１乃至図３は、本発明の第１実施形態を示す。
【００３０】
図１を参照し、本実施形態の超音波処置具は、生体組織を乳化、破砕し、乳化、破砕された生体組織を吸引して除去する超音波吸引装置２４である。
【００３１】
この超音波吸引装置２４は、術者に把持されるハンドピース２６を有する。このハンドピース２６内には、超音波振動を発生する超音波振動子２８が収容されている。この超音波振動子２８の先端部の出力端部には、プローブ３０の基端部が接続されている。このプローブ３０は、超音波振動子２８によって発生された超音波振動を基端部から先端部へと伝達する。プローブ３０の先端部には、伝達された超音波振動を利用して生体組織を処置する処置部３２が形成されている。
【００３２】
また、ハンドピース２６の先端部に、シース３４の基端部が連結されている。このシース３４はプローブ３０に外挿されており、シース３４の先端部からプローブ３０の先端部が突出されている。そして、シース３４の内周面とプローブ３０の外周面との間には、管状の送液路３６が形成されている。この送液路３６の基端部は、シース３４の基端部に配設されている送液口金３８に連通されている。この送液口金３８は、送液チューブ４０を介して送液装置に接続される。一方、送液路３６の先端部は、シース３４の先端部において環状の送液開口４２を形成している。この送液開口４２は、プローブ３０の処置部３２の後方近傍に配置されている。
【００３３】
プローブ３０には、プローブ３０の中心軸に沿って吸引路４４が延設されている。このプローブ３０の吸引路４４の基端部は、超音波振動子２８に形成されている吸引路を介して、ハンドピース２６の基端部に配設されている吸引口金４６に連通されている。この吸引口金４６は、吸引チューブ４８を介して吸引装置に接続される。一方、吸引路４４の先端部は、処置部３２において開口して吸引開口５０を形成している。
【００３４】
図２を参照して、本実施形態の処置部３２について詳細に説明する。
【００３５】
超音波吸引装置の処置部は、体腔内に挿入しやすいように細径であり、高速振動可能なように小型で軽量であり、超音波振動による繰り返し応力によっても容易に損傷されない充分な強度を有することが求められる。さらに、超音波吸引装置の処置部では、キャビテーションの発生が促進されることが好ましい。このキャビテーションは、処置部を体液等の液体内で超音波振動させ、処置部近傍の液体の圧力が当該液体の飽和蒸気圧以下となると発生し、処置部による生体組織の乳化、破砕を促進するものである。
【００３６】
本実施形態の処置部３２は、細径、軽量、高強度の要請を満たしつつ、キャビテーションの発生が促進される抗力係数の大きな形状をなす部分の表面積を極大化しようとするものであり、高度な数値解析の結果得られたものである。
【００３７】
本実施形態の処置部３２は、Ｙ字の嘴状であり、プローブ３０の中心軸から離間するように先端側へと突出している第１及び第２の突出部５４ａ，５４ｂによって形成されている。これら第１及び第２の突出部５４ａ，５４ｂは、互いに対面する傾斜した平面部５６と、背面側の緩やかな曲面部５８と、によって形成されている。平面部５６の形状は、抗力係数の大きな形状となっている。このため、処置部３２を体液等の液体内で超音波振動させた場合に、平面部５６の近傍で液体の圧力勾配が急になり、圧力の低下が増大されて、飽和蒸気圧に達しやすくなる。即ち、平面部５６によって、キャビテーションの発生が促進される。なお、第１及び第２の突出部５４ａ，５４ｂの基端部の又部に、吸引開口５０が配置されている。
【００３８】
次に、本実施形態の超音波吸引装置２４の使用方法について説明する。
【００３９】
以下では、脂肪組織に埋もれた血管を露出させる手技を例にとって説明する。この手技は、脂肪組織に埋もれた神経を露出させるのにも適用可能である。
【００４０】
超音波振動子２８を駆動して超音波振動を発生させ、プローブ３０によって超音波振動を伝達して、処置部３２を超音波振動させる。そして、処置対象となる血管を覆っている脂肪組織に超音波振動している処置部３２を押し付けて、脂肪組織を乳化、破砕する。この際、必要に応じて、送液装置によって、生理食塩水を送液チューブ４０及び送液路３６を介して送液開口４２から処置部３２及び脂肪組織へと送液する。この結果、体液や送液された生理食塩水等からなる液体中に処置部３２及び脂肪組織が浸される。液体内で処置部３２が超音波振動されると、平面部５６の近傍で液体の圧力勾配が急になり、圧力の低下が増大されて、液体が飽和蒸気圧に達してキャビテーションが発生する。このキャビテーションによって、乳化、破砕が促進される。乳化、破砕された生体組織は、吸引装置によって、吸引開口５０から吸引されて吸引路４４及び吸引チューブ４８を介して除去される。
【００４１】
図３を参照し、処置対象となる血管５９が脂肪組織から剥離されてきたら、剥離された血管５９を第１及び第２の突出部５４ａ，５４ｂ間にこれら突出部５４ａ，５４ｂの突出方向に直交するように配置する。そして、第１及び第２の突出部５４ａ，５４ｂを血管５９を中心として回動させつつ、血管５９の走行方向に沿って並進させる。第１及び第２の突出部５４ａ，５４ｂの平面部５６においてキャビテーションの発生が促進されているため、血管５９の外周部近傍においてキャビテーションの発生が促進されることとなり、血管５９の外周部に付着している脂肪組織が効率的に乳化、破砕されて除去される。このようにして血管５９を完全に露出させる。
【００４２】
なお、乳化、破砕を効率的に行うためには、処置部３２をプローブ３０の超音波振動の腹の位置として、３．０ｍ／ｓ以上の振動速度で振動させることが好ましい。
【００４３】
以上説明したように、本実施形態の超音波吸引装置２４では、処置部３２を２つの突出部５４ａ，５４ｂによって形成することで、処置部３２において抗力係数の大きな形状をなす部分の表面積を増大させており、処置部３２においてキャビテーションの発生が促進されるようになっている。このため、処置部３２によって脂肪組織を効率的に乳化、破砕することが可能となっている。
【００４４】
また、２つの突出部５４ａ，５４ｂ間にこれら突出部５４ａ，５４ｂの突出方向と直交して血管、神経を配置し、２つの突出部５４ａ，５４ｂを血管等を中心として回動させつつ血管等の走行方向に沿って並進させることで、血管等の外周部に付着している脂肪組織を効率的に乳化、破砕して除去することが可能となっている。
【００４５】
本実施形態の処置部は、細径、軽量、高強度の要請を満たしつつ、キャビテーションの発生が促進される抗力係数の大きな形状をなす部分の表面積を極大化することを主眼としており、このような目的に適合する範囲で、突出部の形状、個数を様々に変更することが可能である。以下では、突出部の個数を３つ、４つとした変形例について説明する。
【００４６】
図４及び図５は、本発明の第１実施形態の第１変形例を示す。
【００４７】
図４を参照し、本変形例の処置部３２は、第１乃至第３の突出部５４ａ，５４ｂ，５４ｃによって形成されている。本変形例の第１及び第２の突出部５４ａ，５４ｂは、図２に示される第１実施形態の第１の突出部５４において、第１の突出部５４の中央部をプローブ３０の中心軸方向に切り欠いた形状を有する。第１及び第２の突出部５４ａ，５４ｂは、夫々、第３の突出部５４ｃに対面する傾斜した第１の平面部５６ａと、互いに対面する第２の平面部５６ｂと、背面側の緩やかな曲面部５８とによって形成されている。第１及び第２の平面部５６ａ，５６ｂの形状は抗力係数の大きな形状となっており、第１及び第２の平面部５６ａ，５６ｂによってキャビテーションが促進される。また、本変形例の第３の突出部５４ｃは、図２に示される第１実施形態の第２の突出部５４ｂと同様の形状を有する。
【００４８】
図５に示されるように、本変形例の超音波吸引装置２４の使用方法は第１実施形態と同様である。
【００４９】
本変形例では、処置部３２を３つの突出部５４ａ，５４ｂ，５４ｃによって形成することで、２つの突出部５４ａ，５４ｂによって形成する場合と比較して、処置部３２において抗力係数の大きな形状をなす部分の表面積をさらに増大させており、処置部３２においてキャビテーションの発生がさらに促進されるようになっている。
【００５０】
図６及び図７は、本発明の第１実施形態の第２変形例を示す。
【００５１】
図６を参照し、本変形例の処置部３２は、第１乃至第４の突出部５４ａ，５４ｂ，５４ｃ，５４ｄによって形成されている。本変形例の第１及び第２の突出部５４ａ，５４ｂは、第１変形例の第１及び第２の突出部５４ａ，５４ｂと同様の形状を有する。本変形例の第３及び第４の突出部５４ｃ，５４ｄは、図４に示される第１変形例の第３の突出部５４ｃにおいて、第３の突出部５４ｃの中央部をプローブ３０の中心軸方向に切り欠いた形状を有する。第１乃至第４の突出部５４ａ，５４ｂ，５４ｃ，５４ｄは、夫々、第１変形例と同様な第１及び第２の平面部５６ａ，５６ｂ及び曲面部５８を有し、第１及び第２の平面部５６ａ，５６ｂによってキャビテーションが促進される。
【００５２】
図７に示されるように、本変形例の超音波吸引装置２４の使用方法は第１実施形態と同様である。
【００５３】
本変形例では、処置部３２を４つの突出部５４ａ，５４ｂ，５４ｃ，５４ｄによって形成することで、３つの突出部５４ａ，５４ｂ，５４ｃによって形成する場合と比較して、処置部３２において抗力係数の大きな形状をなす部分の表面積をさらに増大させており、処置部３２においてキャビテーションの発生がさらに促進されるようになっている。
【００５４】
図８は、本発明の第２実施形態を示す。
【００５５】
本実施形態の処置部３２では、突出部５４ａ，５４ｂにキャビテーションの発生を促進する促進部が形成されている。即ち、第１及び第２の突出部５４ａ，５４ｂの平面部５６には、夫々、突出部５４ａ，５４ｂの幅方向に延びている溝状の凹部６０が突出部５４ａ，５４ｂの長手方向に互いに離間して複数形成されている。これら凹部６０によって平面部５６の抗力係数がさらに増大することとなり、平面部５６によるキャビテーションの発生がさらに促進される。
【００５６】
図９は、本発明の第２実施形態の変形例を示す。
【００５７】
本変形例では、促進部として、第２の突出部５４ｂに、平面部５６から曲面部５８まで貫通する複数の孔部６２を形成している。これら孔部６２によって、平面部５６及び曲面部５８の抗力係数が増大することとなり、平面部５６によるキャビテーションの発生がさらに促進され、曲面部５８によってもキャビテーションの発生が促進されることになる。
【００５８】
図１０乃至図１３は、本発明の第３実施形態を示す。
【００５９】
本実施形態の超音波処置装置は、生体組織を凝固切開する超音波凝固切開装置６６である。
【００６０】
この超音波凝固切開装置６６は、操作者に操作される操作部６８を有する。この操作部６８には超音波振動子２８が収容されている。この超音波振動子２８には、第１実施形態と同様なプローブ３０が接続されている。このプローブ３０に外挿されているシース３４の基端部は操作部６８の先端部に接続されている。そして、操作部６８には回転ノブ７０が配設されており、この回転ノブ７０を回転操作することによりシース３４をその中心軸を中心として回転可能である。シース３４の先端部には、処置部３２に対して開閉されて処置部３２と協働して生体組織を把持するジョー７２が配設されている。このジョー７２は、操作部６８に配設されている一対のハンドル７４ａ，７４ｂを開閉操作することにより開閉可能である。
【００６１】
図１１を参照し、本実施形態の処置部３２は第１実施形態の処置部３２と同様な形状を有する。この処置部３２に対して回動自在に、シース３４の先端部にジョー７２が枢着されている。このジョー７２のプローブ３０側には、処置部３２の第１の突出部５４ａの曲面部５８と嵌合可能な嵌合溝７６がジョー７２の長手方向に延設されている。また、ジョー７２の両側部には、夫々、生体組織の滑りを防止するための歯部７８がジョー７２の長手方向にわたって延設されている。
【００６２】
次に、本実施形態の超音波凝固切開装置６６の使用方法について説明する。
【００６３】
以下では、脂肪組織に埋もれた血管を露出させ、露出された血管を凝固切開する手技を例にとって説明する。
【００６４】
図１２を参照し、脂肪組織に埋もれた血管５９を露出させるまでの手順は第１実施形態と同様である。
【００６５】
図１３を参照し、露出された血管５９を第１の突出部５４ａとジョー７２との間に第１の突出部５４ａ及びジョー７２と直交するように配置する。続いて、操作部６８の一対のハンドル７４ａ，７４ｂを閉操作して、第１の突出部５４ａに対してジョー７２を閉じ、第１の突出部５４ａの背面側の曲面部５８とジョー７２のプローブ３０側の嵌合溝７６とによって血管５９を把持する。そして、処置部３２を超音波振動させて、把持された血管５９を凝固切開する。なお、凝固切開は必ずしもキャビテーションによって促進されるというものではなく、キャビテーションの発生を促進する平面部５６ではなく、曲面部５８を利用しても充分な凝固切開を行うことが可能である。
【００６６】
以上説明したように、本実施形態の超音波凝固切開装置６６では、第１実施形態と同様に、処置部３２によって脂肪組織を効率的に乳化、破砕することが可能となっていると共に、当該処置部３２とジョー７２とによって血管を凝固切開することが可能となっている。即ち、本実施形態の超音波凝固切開装置６６のみによって、脂肪組織に埋もれた血管を露出させ、露出された血管を凝固切開することができ、複数の処置具を出し入れする場合と比較して、低侵襲で円滑に手技を行うことが可能となっている。
【００６７】
図１４は、本発明の第３実施形態の第１変形例を示す。
【００６８】
本変形例の処置部３２は、図４に示される第１実施形態の第１変形例の処置部３２と同様な形状を有する。即ち、第３実施形態の処置部３２と比較して、処置部３２におけるキャビテーションの発生がさらに促進される。本変形例の超音波凝固切開装置６６の使用方法は、図１０に示される第３実施形態の超音波凝固切開装置６６の使用方法と同様である。なお、処置部３２とジョー７２とによって血管を把持する際には、操作部６８の回転ノブ７０を回転操作し、シース３４及びジョー７２をプローブ３０の中心軸を中心として回転して、処置部３２に対してジョー７２を処置部３２の形状に応じた把持のしやすい適切な位置に配置した後、血管を把持する。
【００６９】
図１５は、本発明の第３実施形態の第２変形例を示す。
【００７０】
本変形例の処置部３２は、図６に示される第１実施形態の第２変形例の処置部３２と同様な形状を有する。即ち、図１４に示される第２実施形態の第１変形例の処置部３２と比較して、処置部３２におけるキャビテーションの発生がさらに促進される。本変形例の超音波凝固切開装置６６の使用方法は、図１４に示される第２実施形態の第１変形例の超音波凝固切開装置６６の使用方法と同様である。
【００７１】
以下、本発明の参考となる各参考形態を説明する。
【００７２】
図１６及び図１７は、本発明の第１参考形態を示す。
【００７３】
図１６を参照し、本参考形態の超音波処置装置の処置部３２は、頂点側が先端側となる円錐において、中心軸に沿って内腔を形成し、その外周部において軸方向の全体にわたって切欠部８０を形成した形状を有する。即ち、処置部３２の中心軸に垂直な横断面は略Ｃ字状をなす。処置部３２の基端側端面８２は抗力係数の大きな形状となっており、この基端側端面８２においてキャビテーションの発生が促進される。
【００７４】
図１６及び図１７を参照し、本参考形態の超音波処置装置を用いて、血管５９の外周部に付着している脂肪組織を除去するには、脂肪組織から剥離された血管５９を切欠部８０を介して処置部３２の内腔内へと導入する。そして、処置部３２を超音波振動させつつ、血管５９に沿って進退させる。この結果、主に処置部３２の内周面と基端側端面８２との間のエッジ部によって、血管５９の外周部に付着している脂肪組織が乳化、破砕されて除去される。この乳化、破砕は、処置部３２の基端側端面８２において発生するキャビテーションによって充分に促進される。また、血管５９から側支が分岐している場合には、処置部３２の基端側端面８２を側支に軽く押し当てて止血し、側支を切除する。
【００７５】
このように、本参考形態の超音波処置装置では、血管の外周部に付着している脂肪組織を効率的に除去することが可能となっている。
【００７６】
図１８乃至図２０は、本発明の第２参考形態を示す。
【００７７】
図１８及び図１９を参照し、本参考形態の超音波処置装置の処置部３２は、Ｕ字の二股形状をなし、プローブ３０の中心軸から離間するように先端側へと湾曲して延びている第１及び第２の延出部８４ａ，８４ｂによって形成されている。これら第１及び第２の延出部８４ａ，８４ｂの先端部には、夫々、プローブ３０の中心軸方向に直交する先端面８６が形成されている。これら先端面８６は抗力係数の大きな形状をなし、先端面８６によってキャビテーションの発生が促進される。一方、処置部３２において、Ｕ字の二股形状の内側部分８８は流線形等の抗力係数の小さな形状をなしており、内側部分８８によってキャビテーションの発生が抑制される。
【００７８】
図２０を参照し、本参考形態の超音波処置装置を用いて、血管５９を覆う脂肪組織を除去するには、脂肪組織に埋もれた血管５９を第１及び第２の延出部８４ａ，８４ｂ間にこれら延出部８４ａ，８４ｂの延出方向に直交するように配置する。そして、処置部３２を超音波振動させ、第１及び第２の延出部８４ａ，８４ｂを血管５９を中心として回動させつつ、血管５９の走行方向に沿って進退させる。この結果、第１及び第２の延出部８４ａ，８４ｂの先端面８６によって、血管５９を覆う脂肪組織が乳化、破砕されて除去される。この際、第１及び第２の延出部８４ａ，８４ｂの先端面８６によって発生されるキャビテーションによって乳化、破砕が促進されると共に、Ｕ字の二股形状の内側部分８８ではキャビテーションの発生が抑制されるため、露出された血管５９に不必要な処置が施されることがない。
【００７９】
このように、本参考形態の超音波処置装置では、血管を覆う脂肪組織を効率的に乳化、破砕して除去することが可能となっていると共に、露出された血管に不必要な処置を施すことが防止されている。
【００８０】
図２１は、本発明の第３参考形態を示す。
【００８１】
図２１を参照し、本参考形態の超音波吸引装置２４の処置部３２は略円筒形状を有する。但し、吸引路４４の先端部には、生体組織を引き込み可能な内径の大きな太径部９０が形成されている。この太径部９０の基端部には段差部９２が形成されている。この段差部９２は抗力係数の大きな形状であり、段差部９２においてキャビテーションの発生が促進される。処置部３２の先端部外周面９４は、先端から基端側へと続く滑らかな流線形等の抗力係数の小さな形状に形成されており、処置部３２の先端部外周面９４においてキャビテーションの発生が抑制される。
【００８２】
本参考形態の超音波吸引装置２４を用いて、脂肪組織を乳化、破砕するには、吸引装置によって吸引を行いつつ、処置部３２を超音波振動させて、脂肪組織へと押し付ける。この結果、脂肪組織が吸引路４４の先端部の太径部９０へと引き込まれ、引き込まれた脂肪組織が主に段差部９２によって乳化、破砕される。この際、段差部９２によって発生されるキャビテーションによって乳化、破砕が促進されると共に、処置部３２の先端部外周面９４ではキャビテーションが抑制されるため、脂肪組織中の血管、神経等に不必要な処置が施されることがない。
【００８３】
このように、本参考形態の超音波吸引装置２４では、脂肪組織を効率的に乳化、破砕することが可能となっていると共に、脂肪組織中の血管、神経等に不必要な処置を施すことが防止されている。
【図面の簡単な説明】
【００８４】
【図１】本発明の第１実施形態の超音波吸引装置を示す縦断面図。
【図２】本発明の第１実施形態の処置部を示す斜視図。
【図３】本発明の第１実施形態の超音波吸引装置の使用方法を示す斜視図。
【図４】本発明の第１実施形態の第１変形例の処置部を示す斜視図。
【図５】本発明の第１実施形態の第１変形例の超音波吸引装置の使用方法を示す斜視図。
【図６】本発明の第１実施形態の第２変形例の処置部を示す斜視図。
【図７】本発明の第１実施形態の第２変形例の超音波吸引装置の使用方法を示す斜視図。
【図８】本発明の第２実施形態の処置部を示す斜視図。
【図９】本発明の第２実施形態の変形例の処置部を示す斜視図。
【図１０】本発明の第３実施形態の超音波凝固切開装置を示す側面図。
【図１１】本発明の第３実施形態の処置部を示す斜視図。
【図１２】本発明の第３実施形態の超音波凝固切開装置の使用方法における血管からの脂肪組織の除去を示す斜視図。
【図１３】。本発明の第３実施形態の超音波凝固切開装置の使用方法における血管の凝固切開を示す斜視図
【図１４】本発明の第３実施形態の第１変形例の処置部を示す斜視図。
【図１５】本発明の第３実施形態の第２変形例の処置部を示す斜視図。
【図１６】本発明の第１参考形態の処置部を示す斜視図。
【図１７】本発明の第１参考形態の処置部を示す縦断面図。
【図１８】本発明の第２参考形態の処置部を示す上面図。
【図１９】本発明の第２参考形態の処置部を示す側方透視図。
【図２０】本発明の第２参考形態の超音波処置装置の使用方法を示す斜視図。
【図２１】本発明の第３参考形態の処置部を示す縦断面図。
【符号の説明】
【００８５】
２４；６６…超音波処置装置（２４…超音波吸引装置、６６…超音波凝固切開装置）、２８…超音波振動子、３０…プローブ、３２…処置部、３４…シース、４４…吸引路、５４ａ，５４ｂ，５４ｃ，５４ｄ…突出部、６０；６２…促進部（６０…凹部、６２…孔部）、７２…ジョー。
【図１】
2008136845.tif 000003
【図２】
2008136845.tif 000004
【図３】
2008136845.tif 000005
【図４】
2008136845.tif 000006
【図５】
2008136845.tif 000007
【図６】
2008136845.tif 000008
【図７】
2008136845.tif 000009
【図８】
2008136845.tif 000010
【図９】
2008136845.tif 000011
【図１０】
2008136845.tif 000012
【図１１】
2008136845.tif 000013
【図１２】
2008136845.tif 000014
【図１３】
2008136845.tif 000015
【図１４】
2008136845.tif 000016
【図１５】
2008136845.tif 000017
【図１６】
2008136845.tif 000018
【図１７】
2008136845.tif 000019
【図１８】
2008136845.tif 000020
【図１９】
2008136845.tif 000021
【図２０】
2008136845.tif 000022
【図２１】
2008136845.tif 000023